(57)【要約】【課題】パネルの汎用性およびデザイン面での統一性が高い壁材ユニット１を提供する。【解決手段】メイン面パネル５ａ・５ｂ・５ｃ・５ｄ・５ｅ・５ｆ・５ｇ・５ｈ・５ｉと連続的に壁面を形成するように、機能性パネル８・１０・１２・１４や非機能性パネル１５からなるサブ面パネルが設けられている。【選択図】図１
2014051836.tif 000002
【特許請求の範囲】
【請求項１】
設置用フレームによって構成される複数の収納部と、
上記設置用フレームに取り付けられ、上記収納部を覆い、壁面を形成する複数のメイン面パネルと、を備えた壁材ユニットにおいて、
上記設置用フレームを覆う位置および該位置の近傍の少なくとも一方もしくは、上記設置用フレームと一体化して、上記メイン面パネルと連続的に上記壁面を形成する複数のサブ面パネルが設けられており、
上記サブ面パネルの少なくとも一つは、上記収納部に収納された機能部材が上記壁面の外部に向けて機能を発揮するための機能性パネルであることを特徴とする壁材ユニット。
【請求項２】
上記サブ面パネルは、矩形状であることを特徴とする請求項１に記載の壁材ユニット。
【請求項３】
上記サブ面パネルは、上記壁面の高さ方向より上記壁面の高さ方向と直交する上記壁面の幅方向が長い長方形形状に形成されていることを特徴とする請求項２に記載の壁材ユニット。
【請求項４】
上記機能部材は、空気調節装置であり、
上記機能性パネルには、上記空気調節装置から出力される空気を通すための開口部が備えられていることを特徴とする請求項１から３の何れか１項に記載の壁材ユニット。
【請求項５】
上記空気調節装置は、空気の温度を調整する温度調整部、加湿部、除湿部、空気清浄部およびイオン発生部の少なくとも一つ以上を備えていることを特徴とする請求項４に記載の壁材ユニット。
【請求項６】
上記機能部材は、照明装置であり、
上記機能性パネルが、上記照明装置の発光部であることを特徴とする請求項１から３の何れか１項に記載の壁材ユニット。
【請求項７】
上記機能部材は、音響装置であり、
上記機能性パネルが、上記音響装置の音響出力部であることを特徴とする請求項１から３の何れか１項に記載の壁材ユニット。
【請求項８】
上記機能部材は、電源供給装置であり、
上記機能性パネルには、上記電源供給装置に電気的に接続された端子部が備えられていることを特徴とする請求項１から３の何れか１項に記載の壁材ユニット。
【請求項９】
上記機能性パネルは、表示用パネルであることを特徴とする請求項１から３の何れか１項に記載の壁材ユニット。
【請求項１０】
上記機能性パネルは、上記機能部材の操作部機能を備えていることを特徴とする請求項１から３の何れか１項に記載の壁材ユニット。
【発明の詳細な説明】
【技術分野】
【０００１】
本発明は、各種機能性機器が収納された収納部を覆う壁面を有する壁材ユニットに関するものである。
【背景技術】
【０００２】
近年、一般的には、屋内に設置する必要がある生活家電機器を含む各種機能性機器の数が増えていく傾向にある。
【０００３】
このような傾向から、上記各種機能性機器を効率的に配置し、生活空間をより広く確保するとともに、インテリア的な美観も確保するための試みが多数なされている。
【０００４】
例えば、図８には、特許文献１に開示されているパーティション１００の概略構成について図示されている。
【０００５】
図示されているように、パーティション１０１は、フレーム枠１０２と、フレーム枠１０２に取付けられ、パーティション１０１の表面を形成する複数のパネル１０３とにより構成されている。
【０００６】
そして、パネル１０３の一部である取付けパネル１０４には、情報表示装置１０５と、人体検知センサー１０６とがそれぞれ取付けられており、同様のパネル１０７には、情報ケーブルなどの接続手段としての情報コンセント１０８が形成されている。
【０００７】
このような構成によれば、各種機能性機器をパーティション１０１に収納することができるので、生活空間をより広く確保するとともに、インテリア的な美観も確保することができる。
【０００８】
また、図９には、特許文献２に開示されている複数のＡＶ機器を備えた壁材の概略構成について図示されている。
【０００９】
図示されているように、壁材は、壁材の放熱を行う吸気口１２３ａおよび排気口１２３ｂ、テレビ１３０、スピーカ１３１Ｒ・１３１Ｌ、ビデオレコーダ１４１およびアンプ１４２などを備えた構成となっている。
【００１０】
したがって、上記構成によれば、生活空間をより広く確保するとともに、インテリア的な美観も確保することができる。
【先行技術文献】
【特許文献】
【００１１】
【特許文献１】特許公報  特許第３４１６２９４号（２００３年６月１６日発行）
【特許文献２】特許公報  特許第４６９３８５０号（２０１１年６月１日発行）
【発明の概要】
【発明が解決しようとする課題】
【００１２】
しかしながら、上記特許文献１および２に開示されている構成においては、パネルで覆うことのできない部分、すなわち、スピーカやルーバーなどの機器が配置される個所においては、パネルの該当個所に開口部を設ける必要が生じるので、パネルを個別の機器に合わせて製作する必要があり、汎用性が乏しいという問題がある。
【００１３】
また、上記特許文献１および２に開示されている構成においては、パネルの開口部の位置に規則性がなく、このようなパーティションや壁材は、デザイン面での統一性が弱く、インテリア的な美観も満足できる程のものではないという問題もある。
【００１４】
本発明は、上記の問題点に鑑みてなされたものであり、パネルの汎用性およびデザイン面での統一性が高い壁材ユニットを提供することを目的とする。
【課題を解決するための手段】
【００１５】
本発明の壁材ユニットは、上記の課題を解決するために、設置用フレームによって構成される複数の収納部と、上記設置用フレームに取り付けられ、上記収納部を覆い、壁面を形成する複数のメイン面パネルと、を備えた壁材ユニットにおいて、上記設置用フレームを覆う位置および該位置の近傍の少なくとも一方もしくは、上記設置用フレームと一体化して、上記メイン面パネルと連続的に上記壁面を形成する複数のサブ面パネルが設けられており、上記サブ面パネルの少なくとも一つは、上記収納部に収納された機能部材が上記壁面の外部に向けて機能を発揮するための機能性パネルであることを特徴としている。
【発明の効果】
【００１６】
本発明の壁材ユニットは、以上のように、上記設置用フレームを覆う位置および該位置の近傍の少なくとも一方もしくは、上記設置用フレームと一体化して、上記メイン面パネルと連続的に上記壁面を形成する複数のサブ面パネルが設けられており、上記サブ面パネルの少なくとも一つは、上記収納部に収納された機能部材が上記壁面の外部に向けて機能を発揮するための機能性パネルである構成である。
【００１７】
それゆえ、パネルの汎用性およびデザイン面での統一性が高い壁材ユニットを実現できる。
【図面の簡単な説明】
【００１８】
【図１】本発明の一の実施の形態の壁材ユニットの概略的な構成を示す図である。
【図２】本発明の一の実施の形態の壁材ユニットに用いることができるサブ面パネルの一例を示す図である。
【図３】本発明の一の実施の形態の壁材ユニットにおいて、メイン面パネルとサブ面パネルとしての非機能性パネルとの取り付け一例を示す図である。
【図４】本発明の一の実施の形態の壁材ユニットにおいて、メイン面パネルとサブ面パネルとしての機能性パネルとの取り付け一例を示す図である。
【図５】本発明の一の実施の形態の壁材ユニットにおいて、メイン面パネルとサブ面パネルとしての機能性パネルとの他の取り付け一例を示す図である。
【図６】本発明の一の実施の形態の壁材ユニットにおいて、メイン面パネルとサブ面パネルとしての機能性パネルとのさらに他の取り付け一例を示す図である。
【図７】本発明の一の実施の形態の壁材ユニットにおいて、異なるサイズのメイン面パネルとサブ面パネルとしての機能性パネルとの取り付け一例を示す図である。
【図８】特許文献１に開示されているパーティションの概略構成を示す図である。
【図９】特許文献２に開示されている複数のＡＶ機器を備えた壁材の概略構成を示す図である。
【発明を実施するための形態】
【００１９】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００２０】
なお、以下の実施の形態において説明する壁材ユニットは、住宅の壁の一画を形成するものであってもよいし、空間を区切るパーティションとして用いられてもよい。
【００２１】
〔実施の形態〕
以下、図１から図７に基づいて、本発明の第１の実施形態について説明する。
【００２２】
図１は、壁材ユニット１の概略的な構成を示す図である。
【００２３】
図示されているように、内壁２（例えば、住宅の壁の一面）には、設置用フレーム３が例えば、ブラケット４などによって設置されている。
【００２４】
本実施の形態においては、設置用フレーム３によって９箇所の収納部６が形成されているが、収納部６の数はこれに限定されることはなく、必要に応じて、適宜増減できる。
【００２５】
また、本実施の形態においては、パネルの汎用性をより高くするため、９箇所の収納部の形状および大きさを同じにしており、各収納部６を覆うメイン面パネル５ａ・５ｂ・５ｃ・５ｄ・５ｅ・５ｆ・５ｇ・５ｈ・５ｉの形状および大きさも同じにしているが、各々の収納部６の形状および大きさは異なっていてもよい。また、メイン面パネルについても形状および大きさの異なるものを含んでいてもよいが、パネルの汎用性を考慮すると、形状および大きさが同じであるメイン面パネルが多くなるようにすることが好ましい。
【００２６】
また、図示されているように、壁材ユニット１の各収納部６には、機能性機器（機能部材）として、エアコン７、イオン発生機９、蓄電池１１および音響装置１３などが設置されているが、機能性機器の種類は、これらに限定されることはない。
【００２７】
これら機能性機器の収納部６への設置方法は、設置用フレーム３上に置いてもよく、設置用フレーム３から金具などを用いて吊り下げてもよく、さらには、設置用フレーム３または内壁２に取り付けてもよい。
【００２８】
なお、例えば、液晶パネルのように、機能性機器全体が露出している必要のある箇所には、メイン面パネル５ａ・５ｂ・５ｃ・５ｄ・５ｅ・５ｆ・５ｇ・５ｈ・５ｉは取り付けなくてもよい。
【００２９】
なお、本実施の形態においては、設置用フレーム３を構成する図中上下方向に伸びるフレームに、メイン面パネル５ａ・５ｂ・５ｃ・５ｄ・５ｅ・５ｆ・５ｇ・５ｈ・５ｉを取り付けている。そして、設置用フレーム３を構成する図中左右方向に伸びるフレームは、後述するサブ面パネルを取り付けるため、メイン面パネル５ａ・５ｂ・５ｃ・５ｄ・５ｅ・５ｆ・５ｇ・５ｈ・５ｉ間やメイン面パネル５ａ・５ｂ・５ｃの上側または、メイン面パネル５ｇ・５ｈ・５ｉの下側から露出させている。
【００３０】
設置用フレーム３を構成する図中上下方向に伸びるフレームへのメイン面パネル５ａ・５ｂ・５ｃ・５ｄ・５ｅ・５ｆ・５ｇ・５ｈ・５ｉの取り付けは、必要に応じて取り外しが可能な留具（未図示）を用いて行うことが好ましい。
【００３１】
そして、図示されているように、複数のサブ面パネル（機能性パネル８・１０・１２・１４・１６・１７と非機能性パネル１５とからなる）が、メイン面パネル５ａ・５ｂ・５ｃ・５ｄ・５ｅ・５ｆ・５ｇ・５ｈ・５ｉ間やメイン面パネル５ａ・５ｂ・５ｃの上側または、メイン面パネル５ｇ・５ｈ・５ｉの下側に配置されている。
【００３２】
なお、本実施の形態においては、デザイン面での統一性が高い壁材ユニット１を実現するため、設置用フレーム３を構成する最上部フレームと最下部フレームも露出されており、この部分には、複数のサブ面パネルが配置されている。
【００３３】
本実施の形態においては、サブ面パネルのうちの機能性パネルとして、エアコン７用の吹出しルーバーパネル８、イオン発生機９用の吹出しルーバーパネル１０、蓄電量表示用パネル１２および音響装置１３の音響を出すためのスピーカパネル１４が用いられているが、これに限定されることはない。
【００３４】
図２は、壁材ユニット１において用いることができるサブ面パネルの一例を示す図である。
【００３５】
なお、サブ面パネルには、図２（ａ）〜図２（ｅ）に図示されているように、壁材ユニット１の各収納部６に収納された機能性機器が壁材ユニット１の外部に向けて機能を発揮するための機能性パネル８・１２・１４・１６・１７と、図２（ｆ）に図示されているような単なる覆いとしての非機能性パネル１５の２種類がある。
【００３６】
図２（ａ）は、蓄電量表示用パネル１２を示しており、蓄電量表示用パネル１２は、蓄電池１１の蓄電量を表示するためのものである。
【００３７】
図２（ｂ）は、音響装置１３の音響を出力するためのスピーカパネル１４を示している。
【００３８】
図２（ｃ）は、エアコン７用の吹出しルーバーパネル８を示しており、イオン発生機９用の吹出しルーバーパネル１０としても用いることができる。
【００３９】
なお、以下で説明する図２（ｄ）に示す端子部パネル１６や図２（ｅ）に示す発光部パネル１７は、本実施の形態の壁材ユニット１には備えられてないが、壁材ユニット１に適宜組み込むことができるのは勿論である。
【００４０】
図２（ｄ）は、蓄電池１１などの電源供給装置から電力を取り出すコンセントおよびＵＳＢ端子部を備えた端子部パネル１６を示している。
【００４１】
図２（ｅ）は、照明装置の発光部パネル１７を示しており、発光部パネル１７は全面ではなく、部分的に発光するものであるが、全面が発光するようにしてもよい。
【００４２】
なお、照明装置の発光部パネルは、サブ面パネルのみでなく、メイン面パネルを用いて形成してもよい。
【００４３】
そして、図２（ｆ）は、非機能性パネル１５を示している。非機能性パネル１５は、図示されているように所定の模様が張ってあっても良いし、無地であっても良い。
【００４４】
なお、本実施の形態においては、機能性パネルと非機能性パネルとは、外周の形状およびサイズが同じに形成されており、壁材ユニット１の各収納部６に機能性機器が収容されているかどうかに基づいて交換することが可能となっている。
【００４５】
そして、各機能性パネルは、機能性機器の種類によって、設置用フレーム３または、各機能性機器に、必要に応じて取り外しが可能な留具で取り付けされている。
【００４６】
図１に図示されている壁材ユニット１においては、エアコン７用の吹出しルーバーパネル８とイオン発生機９用の吹出しルーバーパネル１０とは、エアコン７とイオン発生機９に直接取り付けされており、蓄電量表示用パネル１２およびスピーカパネル１４は、設置用フレーム３に取り付けされており、蓄電池１１と音響装置１３には、配線を介して、電気的に接続されている。
【００４７】
なお、図１において、少なくとも一部のサブ面パネルを、全ての機能性機器の操作部機能を備えた機能性パネルに代えることが好ましい。
【００４８】
このような構成とすることにより、リモコン受信部を備えた機能性パネルによる操作のほかに、リモコンを用いずに、機能性機器を操作することができる。
【００４９】
図３は、壁材ユニット１において、非機能性パネル１５の取り付け一例を示す図である。
【００５０】
図３（ａ）に図示されているように、非機能性パネル１５は、図１において設置用フレーム３を構成する左右方向に伸びるフレームに、必要に応じて取り外しが可能な留具１８で取り付けされており、メイン面パネル５ｃ・５ｆは、図示されてない図１において設置用フレーム３を構成する上下方向に伸びるフレームに、取り付けられている。
【００５１】
図３（ｂ）は、図３（ａ）をメイン面パネル５ｃ・５ｆが設置されている方向から見た図である。図示されているように、メイン面パネル５ｃ・５ｆとサブ面パネルとしての非機能性パネル１５とは連続的に設けられている。
【００５２】
図４は、壁材ユニット１において、サブ面パネルとしての機能性パネルの取り付け一例を示す図である。
【００５３】
図４は、壁材ユニット１において、メイン面パネル５ｃとメイン面パネル５ｆとの間にサブ面パネルとしての非機能性パネル１５を設ける代わりに、電源供給装置１９に電気的に接続された端子部パネル１６を設けた場合の一例である。
【００５４】
図４（ａ）に図示されているように、電源供給装置１９から電力を取り出すコンセントおよびＵＳＢ端子部を備えた端子部パネル１６は、図１において設置用フレーム３を構成する左右方向に伸びるフレームに、必要に応じて取り外しが可能な留具１８で取り付けされており、端子部パネル１６と電源供給装置１９とは、配線を介して、電気的に接続されている。
【００５５】
図４（ｂ）は、図４（ａ）をメイン面パネル５ｃ・５ｆが設置されている方向から見た図である。図示されているように、メイン面パネル５ｃ・５ｆと端子部パネル１６とは連続的に設けられている。
【００５６】
図５は、壁材ユニット１において、エアコン７用の吹出しルーバーパネル８の取り付け一例を示す図である。
【００５７】
図５（ａ）図示されているように、エアコン７用の吹出しルーバーパネル８の場合、エアコン７に必要に応じて取り外しが可能な留具（未図示）で取り付けされることが好ましい。
【００５８】
そして、デザイン面での統一性を考慮すると、エアコン７用の吹出しルーバーパネル８は、隣接するサブ面パネルと同じ高さに配置されることが好ましいことから、エアコン７が収納される収納部６においては、設置用フレーム３を構成する部分フレーム３ａは、その形状が異なることが好ましい。
【００５９】
図示されているように、部分フレーム３ａは、図１における内壁２と接する面と、内壁２に垂直な下面と、を有する。
【００６０】
図５（ｂ）は、図５（ａ）をメイン面パネル５ａ・５ｄが設置されている方向から見た図である。図示されているように、メイン面パネル５ａ・５ｄとエアコン７用の吹出しルーバーパネル８とは連続的に設けられている。
【００６１】
なお、部分フレーム３ａは、イオン発生機９用の吹出しルーバーパネル１０をイオン発生機９に直接取り付けされることが好ましい、イオン発生機９が収納される収納部にも用いることができる。
【００６２】
図１に図示されているように、吹出しルーバーパネル８・１０が、エアコン７やイオン発生機９の下部に設けられる場合には、内壁２と接する面と、内壁２に垂直な下面と、を有する部分フレーム３ａを用いればよく、一方、吹出しルーバーパネル８・１０が、エアコン７やイオン発生機９の上部に設けられる場合には、内壁２と接する面と、内壁２に垂直な上面と、を有する部分フレーム３ｂを用いればよい。
【００６３】
なお、図６は、本実施の形態の壁材ユニット１で用いることが可能な他の設置用フレーム３ｃを用いた場合を示す図である。
【００６４】
図６（ａ）図示されているように、設置用フレーム３ｃは、コの字型に形成されており、設置用フレーム３ｃにサブ面パネルの一部が挿入され、サブ面パネルが設置用フレーム３ｃに内臓されるように、すなわち、サブ面パネルと設置用フレーム３ｃとが一体化されるようになっている。
【００６５】
図６（ａ）においては、設置用フレーム３ｃにスピーカパネル１４ａの一部が挿入され、スピーカパネル１４ａが設置用フレーム３ｃに内臓されているので、図４（ａ）で図示したように、留具１８を用いる必要がない。
【００６６】
そして、設置用フレーム３ｃ上に配置されている音響装置１３とスピーカパネル１４ａとは、配線を介して、電気的に接続されている。
【００６７】
また、図６（ａ）においては、コの字型に形成された設置用フレーム３ｃと、サブ面パネルの一例として、一面に突起部を有しているスピーカパネル１４ａを例に挙げて説明しているが、留具などの接続部材を用いずに、サブ面パネルを設置用フレームに内臓できるのであれば、設置用フレームの形状やサブ面パネルの形状は特に限定されない。
【００６８】
図６（ｂ）は、図６（ａ）をメイン面パネル５ｅ・５ｈが設置されている方向から見た図である。図示されているように、メイン面パネル５ｅ・５ｈとスピーカパネル１４ａとは連続的に設けられている。
【００６９】
図７は、壁材ユニット１において、エアコン７用の吹出しルーバーパネル８を取り付ける他の一例を示す図である。
【００７０】
図７は、設置用フレーム３をそのまま用いて、エアコン７用の吹出しルーバーパネル８をエアコン７に取り付けた場合を示す図である。
【００７１】
図７（ａ）に図示されているように、この場合においては、エアコン７用の吹出しルーバーパネル８は、設置用フレーム３の近傍に設置されることとなる。
【００７２】
このような構成を用いる場合においても、デザイン面での統一性を考慮すると、エアコン７用の吹出しルーバーパネル８は、隣接するサブ面パネルと同じ高さに配置されることが好ましい。
【００７３】
したがって、エアコン７用の吹出しルーバーパネル８と隣接する個所に配置されるサブ面パネルとしては、図７（ａ）のように、機能性パネルを設置用フレーム３の近傍に設置することができるイオン発生機９用の吹出しルーバーパネル１０などを用いることが好ましい。
【００７４】
なお、この場合においては、サイズの異なるメイン面パネル５ａ′とメイン面パネル５ｄ′とを用いている。
【００７５】
図７（ｂ）は、図７（ａ）をメイン面パネル５ａ′・５ｄ′が設置されている方向から見た図である。図示されているように、メイン面パネル５ａ′・５ｄ′とエアコン７用の吹出しルーバーパネル８とは連続的に設けられている。
【００７６】
なお、本実施の形態においては、設置用フレーム３を構成する図中上下方向に伸びるフレームに、メイン面パネル５ａ・５ｂ・５ｃ・５ｄ・５ｅ・５ｆ・５ｇ・５ｈ・５ｉを取り付けする場合について説明したが、設置用フレーム３を構成する図中左右方向に伸びるフレームに、メイン面パネル５ａ・５ｂ・５ｃ・５ｄ・５ｅ・５ｆ・５ｇ・５ｈ・５ｉを取り付けし、設置用フレーム３を構成する図中上下方向に伸びるフレームを、メイン面パネル５ａ・５ｂ・５ｃ・５ｄ・５ｅ・５ｆ・５ｇ・５ｈ・５ｉ間やメイン面パネル５ａ・５ｄ・５ｇの左側または、メイン面パネル５ｃ・５ｆ・５ｉの右側から露出させてもよい。
【００７７】
また、本実施の形態におけるメイン面パネルおよびサブ面パネルは、取り外しや交換が容易に行えるようになっており、さらに、サブ面パネルは設置用フレーム３の近傍に取り付けられているため、各収納部内に収納された機能性機器の掃除や交換の際に邪魔になることがなく、メイン面パネルを取り外すだけで掃除や交換を容易に行うことが可能となる。
【００７８】
ここで、図示は省略するが、実際の住宅に本発明の壁材ユニットを配置するより具体的な一例について説明する。設置スペースは、壁の一方の柱の芯から他方の柱の芯までの２７０ｃｍであり、柱の厚さを１０ｃｍとすると、残りの設置スペースは２６０ｃｍとなる。壁材ユニットの中央に８０インチのＴＶを置くとすると、横幅約２００ｃｍをＴＶが占めることとなる。したがって、左右に３０ｃｍずつのスペースができる。
【００７９】
サブ面パネルの高さは、ルーバーやスピーカなどが一定の効果を発揮することができるように、１０ｃｍに設定すると、左右のスペースにおけるサブ面パネルの縦横比は、１：３となる。ただし、これらの数値は一例であり、設置スペースに応じて適宜変更できる。
【００８０】
上記構成によれば、パネルの汎用性およびデザイン面での統一性が高い壁材ユニット１を実現できる。
【００８１】
本発明の壁材ユニットは、設置用フレームによって構成される複数の収納部と、上記設置用フレームに取り付けられ、上記収納部を覆い、壁面を形成する複数のメイン面パネルと、を備えた壁材ユニットにおいて、上記設置用フレームを覆う位置および該位置の近傍の少なくとも一方もしくは、上記設置用フレームと一体化して、上記メイン面パネルと連続的に上記壁面を形成する複数のサブ面パネルが設けられており、上記サブ面パネルの少なくとも一つは、上記収納部に収納された機能部材が上記壁面の外部に向けて機能を発揮するための機能性パネルであることを特徴としている。
【００８２】
上記構成によれば、従来のように、メイン面パネルの所定個所に開口部を設ける必要がなく、このような開口部の位置の非統一性によって、インテリア的な美観が悪くなることを抑制できる。したがって、パネルの汎用性およびデザイン面での統一性が高い壁材ユニットを実現できる。
【００８３】
本発明の壁材ユニットにおいては、上記サブ面パネルは、矩形状であることが好ましい。
【００８４】
本発明の壁材ユニットにおいては、上記サブ面パネルは、上記壁面の高さ方向より上記壁面の高さ方向と直交する上記壁面の幅方向が長い長方形形状に形成されていることが好ましい。
【００８５】
本発明の壁材ユニットにおいては、上記機能部材は、空気調節装置であり、上記機能性パネルには、上記空気調節装置から出力される空気を通すための開口部が備えられていることが好ましい。
【００８６】
本発明の壁材ユニットにおいては、上記空気調節装置は、空気の温度を調整する温度調整部、加湿部、除湿部、空気清浄部およびイオン発生部の少なくとも一つ以上を備えていることが好ましい。
【００８７】
本発明の壁材ユニットにおいては、上記機能部材は、照明装置であり、上記機能性パネルが、上記照明装置の発光部であることが好ましい。
【００８８】
本発明の壁材ユニットにおいては、上記機能部材は、音響装置であり、上記機能性パネルが、上記音響装置の音響出力部であることが好ましい。
【００８９】
本発明の壁材ユニットにおいては、上記機能部材は、電源供給装置であり、上記機能性パネルには、上記電源供給装置に電気的に接続された端子部が備えられていることが好ましい。
【００９０】
本発明の壁材ユニットにおいては、上記機能性パネルは、表示用パネルであることが好ましい。
【００９１】
本発明の壁材ユニットにおいては、上記機能性パネルは、上記機能部材の操作部機能を備えていることが好ましい。
【００９２】
本発明は上記した実施の形態に限定されるものではなく、請求項に示した範囲で種々の変更が可能である。
【産業上の利用可能性】
【００９３】
本発明は、各種機能性機器が収納された収納部を覆う壁面を有する壁材ユニットに好適に用いることができる。
【符号の説明】
【００９４】
１                      壁材ユニット
２                      内壁
３                      設置用フレーム
３ａ、３ｂ              部分フレーム
３ｃ                    設置用フレーム
４                      ブラケット
５ａ、５ｂ、５ｃ、５ｄ  メイン面パネル
５ｅ、５ｆ、５ｇ、５ｈ、５ｉ  メイン面パネル
５ａ′、５ｄ′          メイン面パネル
６                      収納部
７                      エアコン（機能部材）
８                      吹出しルーバーパネル（機能性パネル）
９                      イオン発生機（機能部材）
１０                    吹出しルーバーパネル（機能性パネル）
１１                    蓄電池（機能部材）
１２                    蓄電量表示用パネル（機能性パネル）
１３                    音響装置（機能部材）
１４、１４ａ            スピーカパネル（機能性パネル）
１５                    非機能性パネル
１６                    端子部パネル（機能性パネル）
１７                    発光部パネル（機能性パネル）
１８                    留具
１９                    電源供給装置（機能部材）
【図１】
2014051836.tif 000003
【図２】
2014051836.tif 000004
【図３】
2014051836.tif 000005
【図４】
2014051836.tif 000006
【図５】
2014051836.tif 000007
【図６】
2014051836.tif 000008
【図７】
2014051836.tif 000009
【図８】
2014051836.tif 000010
【図９】
2014051836.tif 000011